(57)【特許請求の範囲】
【請求項１】
基材に雌雄の歯部が取り付けられて該歯部の嵌合により連結するファスナーを構成し、該基材が偽装網を取り付けるためのフックを有することを特徴とする偽装網連結部材。
【請求項２】
該基材が、テープ状織物である請求項１記載の偽装網連結部材。
【請求項３】
該ファスナーの歯部が、プラスチック製である請求項１記載の偽装網連結部材。
【請求項４】
該フックが、該基材の偽装網を連結する両側にそれぞれ少なくとも一列状に取り付けられている請求項１記載の偽装網連結部材。
【請求項５】
該フックが、少なくとも１０cmの間隔で取り付けられている請求項１記載の偽装網連結部材。
【請求項６】
該基材に、さらにカバー布帛を接合してなる請求項１記載の偽装網連結部材。
【請求項７】
該カバー布帛が、幅０．５〜２．０ｍである請求項６記載の偽装網連結部材。
【請求項８】
該カバー布帛が、平滑加工されているものである請求項６記載の偽装網連結部材。
【請求項９】
複数枚の偽装網が、請求項１記載の偽装網連結部材におけるフックによって、互いに連結されていることを特徴とする連結偽装網。
【請求項１０】
該複数枚の偽装網が、前記ファスナーを中心として左右対称に連結されている請求項９記載の連結偽装網。
【発明の詳細な説明】
【０００１】
【発明の属する技術分野】
本発明は、軍事被偽装対象物に迅速に連結、展張し、出動時には展張使用中の偽装網を迅速に解体できる偽装網連結部材およびそれからなる連結偽装網に関するものである。
【０００２】
【従来の技術】
従来、ループ状の紐で複数枚の偽装網を連結したり（実公平６−２４５９７）、一方の偽装網にオスの金具を、他方の偽装網にメスの金具を一定間隔で取付けて連結していた。しかしながら、紐による連結は取付けに要する時間が大で、しかも、解体する時に紐のループがスムーズに外れずに時間が掛かっていた。
【０００３】
一方、オスとメスの金具連結による方法（図３参照）は展張、解体時間が短縮されるがオスとメスの噛合わせを弱くすると風等で偽装網に張力が掛かったときに外れることがあり、噛合わせを硬めにすると速開しょうとして引っ張っても外れ難く、解体に時間が掛かる問題があった。
【０００４】
【発明が解決しようとする課題】
本発明は、かかる技術の背景に鑑み、操作が簡単で、容易に連結、展張し、使用中は外れることなく、更に迅速に解体できる偽装網連結部材および連結偽装網を提供せんとするものである。
【０００５】
【課題を解決するための手段】
本発明はかかる目的を達成するために、次のような手段を採用する。
【０００６】
すなわち、本発明の偽装網連結部材は、基材に雌雄の歯部が取り付けられて該歯部の嵌合により連結するファスナーを構成し、該基材が偽装網を取り付けるためのフックを有することを特徴とするものであり、また、本発明の連結偽装網は、かかる偽装網連結部材を用いて構成されたものであって、すなわち、複数枚の偽装網が、ファスナーの基材に取り付けられたフックによって、互いに連結されていることを特徴とするものである。
【０００７】
【発明の実施の形態】
本発明は、複数枚の偽装網を連結、解体する装置で比較的容易に迅速に作業できる方法を鋭意検討したところファスナー付連結帯に偽装網の一辺を取付け、連結することで、見事に上述の課題を達成したものである。
【０００８】
すなわち、複数枚の偽装網を展張する場合、ファスナーに取り付けたフックに偽装網の一辺を連結し、出動時はファスナー金具を引いて開放することで迅速に解体することができるので最適である。
【０００９】
ファスナーは、基材に雌雄の歯部を取り付けて、該歯部を嵌合させて連結する治具であって、かかるファスナーには、該歯部が金属製のものとプラスチック製のものとの２種があり、どちらでも採用することができるが、軽量化、耐久性（錆）からプラスチック製の方が好ましい。また、対レーダー波（マイクロ波）偽装網においては、金属製では反射が強いため、レーダー波を反射しない、つまり金属や導電性物質を含有しないプラスチック製のものの方が好ましく使用される。
【００１０】
かかるプラスチックとしては、ナイロン、ポリエステルおよびポリアセタールから選ばれた少なくとも１種が採用されるが、その中でも硬く、薬品、水、低温度に対し強いポリアセタールが最も好ましく使用される。
【００１１】
かかるファスナーのサイズは、ＮＯ．６〜１２のものが好ましく採用されるが、さらに好ましくはＮＯ．９〜１０のサイズのものがよい。ファスナーＮＯ．が５以下のものでは、強力が弱く、耐久性に欠け、また、ファスナーＮＯ．１３以上のものでは重くて嵩張るので好ましくない。
【００１２】
かかるファスナーの形態は、両方から開けることができ、低い引張り力で開閉できるトップオープン型が好ましい。更に開閉を容易にするため、パラフィン系、フッ素系などの易滑性物質（樹脂）で表面加工したファスナーを使用することもできる。
【００１３】
次に、ファスナーの基材（テープ）にフックを取付けて、直接偽装網を取り付けてもよいが、好ましくは該基材にカバー布帛、たとえば平滑な薄い生地を取付けておいて、その上から戦車等軍事被偽装対象物に偽装網を展張、解体することによって、該被偽装対象物の突起物、たとえばアンテナ等の重要部材を保護すると共に、引掛りにくく、スムースに作業ができるので好ましい。また、かかるカバー布帛は、エンジンや排気マフラーの断熱布としても利用することができ、たとえば、エンジン等の高温加熱部分をカバーすることで遠赤外線探査装置からも偽装することができる。
【００１４】
かかるカバー布帛は、カレンダー加工やシリコン加工等を施して、より平滑に、かつ、吸水機能を防止したものが好ましく、これによって重量増加をも防止することができ、取扱性にすぐれたものを提供することができる。
【００１５】
かかるカバー布帛の生地幅は、被偽装対象物の大きさや表面形態によっても左右され、すなわち幅が狭いとカバー地、断熱布としての用をなさず、広すぎると嵩張り、取扱いにくくなるが、好ましくは概略０．５〜２．０ｍ、さらに好ましくは０．５〜１．０ｍのものが好ましく採用される。
【００１６】
本発明を図面により、以下説明する。
【００１７】
図１は、本発明のファスナーにより５．１×５．１ｍの偽装網を８枚連結展張した平面図である。ファスナー１の基材（テープ；図示せず）にフック２、２´を、好ましくは少なくとも１０cm、さらに好ましくは少なくとも３０cmの間隔で取り付ける。この場合では５０ｃｍの間隔で縫い付け、該基材にカバー布帛３、３´を接合（縫製）して、偽装網連結部材が形成されている。この連結部材のフック２、２´に複数枚の偽装網４、４´を係合させて連結偽装網が展張されている。
【００１８】
図２は、偽装網展張の断面図である。偽装網４は支柱５等により被対象物６との間隔を保持して展張され、ファスナーの基材に接合されたカバー布帛３によって被対象物をカバーするものである。
【００１９】
図３は、従来技術でのワイヤーを曲げて加工した雄金具７、雌金具８を示す断面図である。この金具は、雄と雌を挿入すると、バネの戻りによりくぼみで止まって連結され、解体時には、引張り力によって取り外す方式のものである。
【００２０】
【実施例】
以下、実施例により本発明を具体的に説明するが、本発明はこれらに限定されない。
【００２１】
実施例１
ポリアセタール樹脂製の射出成型ファスナーＮＯ．１０（ＹＫＫ社製）を使い、ファスナーテープ部に長さ３ｃｍ，曲率１．５ｃｍ鍵形のナイロン樹脂製フックを５０ｃｍの間隔で縫い付けた。このファスナーに、濃緑色に染色した１００デニールのポリエステル糸からなる１ｍ幅の平織物を縫合して長さ２１ｍの１対の偽装網連結部材を作成した。この連結部材をヘリコプターの縦方向に中央部に掛け、次いで５．１×５．１ｍの偽装網をフックに順次取り付けて、相互の偽装網を紐で連結し、裾部を地面に固定した。続いて先端が円盤の支柱で偽装網を持ち上げて展張した。この展張に要した時間は１５分と従来方法より時間が短縮できた。
【００２２】
また、被偽装対象物より１km離れた場所より偽装性を可視、赤外線、レーダー探査装置で調査したところ、いずれも背景の自然界に混和して良好であった。
【００２３】
次いで、ヘリコプターを出動するため偽装網を解体した。まず、ファスナーの開閉治具に取り付けておいた紐を下から引くことによって、偽装網は縦方向に中央部から２つに分断されて、支柱と共にヘリコプターの両側に倒れ、速やかに出動することがてきた。
【００２４】
実施例２
実施例１と同じファスナーを使用し、ポリエステル織物を染色仕上げ後、カレンダー加工して表面を平滑にした。この織物の片面にシリコン加工して、平滑で吸水性のない薄い生地を得た。この生地を使い、偽装網を雨の中１日展張したが、吸水による重量増加もなく滑りも良く展張、解体等の操作性は良好であった。
【００２５】
【発明の効果】
本発明によれば、偽装網を戦車などの軍事対象物に迅速に連結、展張し、出動時には展張使用中の偽装網を迅速に解体できる。
【図面の簡単な説明】
【図１】  この図は、本発明の偽装網連結部材による偽装網展張の平面図である。
【図２】  この図は、偽装網展張の断面図である。
【図３】  この図は、従来技術でのワイヤーによる雄雌金具の断面図である。
【符号の説明】
１      ：ファスナー（基材付き）
２，２´：フック
３，３´：カバー布帛
４，４´：偽装網
５      ：支柱
６      ：被偽装対象物
７      ：雄金具
８      ：雌金具
【図１】
0003940189.tif 000002
【図２】
0003940189.tif 000003
【図３】
0003940189.tif 000004